(57)【要約】      （修正有）【課題】金属製頭部内に溜まった灰の処分や使用後の棒状温灸器の内部清掃を容易にし、使用中の棒灸も清潔に反復利用可能とできるよう改良した棒状温灸器を提供する。【解決手段】軸通する貫通管を備えた略丸棒状の木製把持部１０と、前端が封鎖され外側周面に複数の通気孔２１を設けた略円筒形の金属製頭部２０とからなる棒状温灸器１であって、木製把持部は前端に雄ネジ１２ａを設けた金属製の環状座金１２を備え、金属製頭部は後端の内側周面に雌ネジを設けてなり、雄ネジに雌ネジを螺合させることにより、木製把持部と金属製頭部とを着脱可能に一体化する。【選択図】図６
0003232145.tif 000002
【実用新案登録請求の範囲】
【請求項１】
軸通する貫通管を備えた略丸棒状の木製把持部と、前端が封鎖され外側周面に複数の通気孔を設けた略円筒形の金属製頭部とからなる棒状温灸器であって、前記木製把持部は前端に雄ネジを設けた金属製の環状座金を備え、前記金属製頭部は後端の内側周面に雌ネジを設けてなり、前記雄ネジに前記雌ネジを螺合させることにより、前記木製把持部と前記金属製頭部とを着脱可能に一体化してなることを特徴とする棒状温灸器。
【請求項２】
前記木製把持部の後端には前記貫通管の開口部を露出させる環状口金を備えることを特徴とする請求項１に記載の棒状温灸器。
【請求項３】
前記金属製頭部は真鍮製であることを特徴とする、請求項１または請求項２のいずれか１項に記載の棒状温灸器。
【考案の詳細な説明】
【技術分野】
【０００１】
本考案は、灸棒を用いた押し当て式の棒状温灸器に関する。
【背景技術】
【０００２】
もぐさ（練りもぐさ）を棒状に固めた棒もぐさ（以下、棒灸と称する）を着火させ、その燃焼熱を伝導させた発熱体を患者の身体のツボ等に当接させることで治療する方式の温灸器はこれまでにも多数使用されてきた。
【０００３】
特に、鍼灸師等の治療者が患者の治療に用いるものとしては、非特許文献１として図１に示す従来の棒状温灸器が一般に「ＭＴ式温灸器」の通称で知られている。この棒状温灸器は、軸通する貫通管を備えた略丸棒状の木製把持部に、一端が封鎖され外側周面に複数の通気孔を設けた略円筒形の金属製頭部を固定してなる棒状温灸器であり、先端を着火させた棒灸を木製把持部後端の開口部から貫通管内に挿入して使用する。
【非特許文献１】従来の棒状温灸器（通称「ＭＴ式温灸器」）
【０００４】
治療時には、治療者が棒状温灸器の木製把持部を片手で把持し、下方に向けた金属製頭部の前端を患者の患部に押し当てると、貫通管内を落下した棒灸の着火した先端が金属製頭部の前端の内面に当接し、燃焼熱が金属製頭部全体に伝導して患部に伝わり治療効果を発揮する。複数の通気孔は、棒灸の燃焼に必要な空気を金属製頭部に導入するとともに、発生する煙を外部に排出する役割を果たす。
【考案の開示】
【考案が解決しようとする課題】
【０００５】
従来の棒状温灸器は多くの治療者に業務用として使用されてきたが、燃焼した棒灸の灰が金属製頭部の内部に溜まるため、治療者は灰が溜まってくる都度棒状温灸器を逆さに向けて、内部の灰を木製把持部後端の開口部から排出する手間がかかり、治療終了後の棒状温灸器の内部清掃も面倒という問題点があった。また、貫通管内の棒灸がまだ燃焼中の場合は、先に火のついた棒灸を取り出してから灰を排出しなければならず、当然に取り出した未だ使用可能な棒灸も灰まみれの状態となるという問題もあった。
【０００６】
本考案は、かかる先行技術の問題点を解決するべく、従来の棒状温灸器の木製把持部と金属製頭部とを着脱可能に構成することで、金属製頭部内に溜まった灰の処分や使用後の棒状温灸器の内部清掃を容易にし、使用中の棒灸も清潔に反復利用可能とできるよう改良した棒状温灸器を提供することを課題とするものである。
【課題を解決するための手段】
【０００７】
かかる課題を解決するために、請求項１に記載した考案は、軸通する貫通管を備えた略丸棒状の木製把持部と、前端が封鎖され外側周面に複数の通気孔を設けた略円筒形の金属製頭部とからなる棒状温灸器であって、前記木製把持部は前端に雄ネジを設けた金属製の環状座金を備え、前記金属製頭部は後端の内側周面に雌ネジを設けてなり、前記雄ネジに前記雌ネジを螺合させることにより、前記木製把持部と前記金属製頭部とを着脱可能に一体化してなることを特徴とする。
【０００８】
また、請求項２に記載した考案は、請求項１に記載した棒状温灸器であって、前記木製把持部の後端には前記貫通管の開口部を露出させる環状口金を備えることを特徴とする。
【０００９】
また、請求項３に記載した考案は、請求項１または２のいずれか１項に記載した棒状温灸器であって、前記金属製頭部は真鍮製であることを特徴とする。
【考案の効果】
【００１０】
本考案に係る棒状温灸器によれば、随時金属製頭部を取り外し可能としたことで、内部に溜まった棒灸の灰を簡単に排出でき、使用後は分離した棒状把持部と金属製頭部の内部洗浄も容易となるため、棒状温灸器の清潔を維持し易くなる。また、使用可能な燃焼中の棒灸を灰にまみれることなく容易に取り出して再利用できる。
【考案を実施するための最良の形態】
【００１１】
以下、本考案に係る棒状温灸器の一実施形態について、図を用いて説明する。図２は本考案の一実施形態に係る棒状温灸器１の側面図、図３は後端側からみた左側面図、図４は前端側から見た右側面図である。また、図５は棒灸Ｍを挿入した状態の棒状温灸器１の軸線に沿った断面図であり、図６は金属製頭部を取り外した状態の棒状温灸器１の側面図である。
【００１２】
棒状温灸器１は略丸棒状の木製把持部１０と前端が封鎖され外周側面に複数の通気孔２１を設けた略円筒形の金属製頭部２０とからなる。金属製頭部２０は後端の内周側面に雌ネジ２２を設けている。木製把持部１０は軸線に沿って貫通する貫通管１１を備え、その前端には外側周面に雄ネジ１２aを設けた金属製の環状座金１２を、後端には貫通管１１の開口部１４を露出させる環状口金１３を固定している。
【００１３】
金属製頭部２０の材質は、棒灸Ｍの燃焼熱の伝導性が高い金属が望ましく、特に真鍮が好適である。また、雄ネジ１２ａと雌ネジ２２の熱伝導による膨張収縮を均等化して着脱への影響を防ぐために、環状座金１２も金属製頭部２０と同一の材質を用いることが望ましい。一方、環状口金１３の材質は任意であり、たとえばステンレス鋼でもよい。
【００１４】
木製把持部１０の形状は具体的な形状は任意であるが、治療者が握り易い棒状とし、本実施形態では、適宜直径に変化を与え、滑り止めの溝を設けている。なお、木製把持部１０の材質は特に限定されず、貫通管１１が着火した棒灸Ｍを挿入する際の熱に耐える限りにおいて合成樹脂等を用いてもよい。
【００１５】
図５の断面図に示すとおり、使用時に棒状温灸器１を金属製頭部２０を下に向けることにより、開口部１４から挿入された棒灸Ｍの着火した先端が金属製頭部２０内に落ち込んでその内面に当接し、燃焼熱が金属製頭部２０全体に伝導する。
【００１６】
治療中、棒灸Ｍは燃焼して徐々に短くなり、煙が通気孔２１から排出されるとともに、灰が金属製頭部２０の内部に蓄積する。治療者は、灰が通気孔２１から零れない程度に溜まった時点で金属製頭部２０を回転させて木製把持部１０から取り外し、灰を外に排除することができる。また、治療を終了する時点で棒灸Ｍが十分な長さで残存していれば、木製把持部１０の先端の開口部からこれを取り出し、消火して再利用することができる。
【００１７】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００１８】
本考案に係る棒状温灸器は、従来から普及していた通称「ＭＴ式温灸器」の改良であり、これに替えて同様の治療に利用可能である。
【図面の簡単な説明】
【００１９】
【図１】従来の棒状温灸器（通称「ＭＴ式温灸器」）の写真
【図２】実施形態に係る棒状温灸器の側面図
【図３】実施形態に係る棒状温灸器の左側面図
【図４】実施形態に係る棒状温灸器の右側面図
【図５】実施形態に係る棒状温灸器の軸線に沿った断面図
【図６】実施形態に係る棒状温灸器の金属製頭部を取り外した状態を示す図
【符号の説明】
【００２０】
１        棒状温灸器
１０    木製把持部
１１    貫通管
１２    環状座金
１２ａ  雄ネジ
１３    環状口金
１４    開口部
２０    金属製頭部
２１    通気孔
２２    雌ネジ
【図１】
0003232145.tif 000003
【図２】
0003232145.tif 000004
【図３】
0003232145.tif 000005
【図４】
0003232145.tif 000006
【図５】
0003232145.tif 000007
【図６】
0003232145.tif 000008